(57)【要約】【課題】サイズを使用者に合わせやすいリング型ウェアラブル端末を提供する。【解決手段】リング型ウェアラブル端末１０は、外部の機器と通信する通信部１４が設けられているリング１２と、リング１２の内側に取り付けられる内径補正部材１６とを備える。使用者は、リング１２に内径補正部材１６を取り付けることで、リング型ウェアラブル端末１０の内径を自分の指に合わせることができる。こうして、一つのリング１２で多様なサイズに対応できる。【選択図】図２
2018173873.tif 000002
【特許請求の範囲】
【請求項１】
外部の機器と通信する通信部が設けられているリングと、
前記リングの内側に取り付けられる内径補正部材と、
を備えることを特徴とするリング型ウェアラブル端末。
【請求項２】
前記内径補正部材は、外周面が前記リングの内周面に嵌るリング状に形成されていることを特徴とする請求項１に記載のリング型ウェアラブル端末。
【請求項３】
前記内径補正部材は、少なくとも一部が弾性材料で形成されていることを特徴とする請求項２に記載のリング型ウェアラブル端末。
【請求項４】
前記リングは、前記通信部の通信内容をユーザに知らせる通知部を備えることを特徴とする請求項１から３のいずれかに記載のリング型ウェアラブル端末。
【請求項５】
前記内径補正部材は、前記リングに設けられている負荷に給電する電池を備えることを特徴とする請求項１から４のいずれかに記載のリング型ウェアラブル端末。
【請求項６】
前記電池は、非接触充電装置により充電される二次電池であることを特徴とする請求項５に記載のリング型ウェアラブル端末。
【請求項７】
第１および第２リング型ウェアラブル端末を含み、
前記第１リング型ウェアラブル端末は、
外部の機器と通信する第１通信部が設けられている第１リングと、
前記第１リングの内側に取り付けられる内径補正部材と、を備え、
前記第２リング型ウェアラブル端末は、
外部の機器と通信する第２通信部が設けられている第２リングを備え、
前記第１リングに前記内径補正部材を付けた状態における内径が、前記第２リングの内径以上であることを特徴とするリング型ウェアラブル端末。
【発明の詳細な説明】
【技術分野】
【０００１】
本発明は、リング型ウェアラブル端末に関する。
【背景技術】
【０００２】
ＩＣカードは、リーダライタに接近すると無線通信して各種データを送受信する。取り扱いが容易であり、入退出管理カードや、社員カード、交通機関の乗車カード、クレジットカードなどとして普及している。
【０００３】
ＩＣカードと同様の機能を備える指輪も知られている。特許文献１に開示されているＲＦＩＤ組込リングを用いれば、カバンや衣服のポケットからＩＣカードを取り出すことなく、鉄道の自動改札機を通ったり、買い物の代金を支払ったりできる。
【先行技術文献】
【特許文献】
【０００４】
【特許文献１】特開２０１５−９３００４号公報
【発明の概要】
【発明が解決しようとする課題】
【０００５】
リング型として身に付けることで、その機能をより簡単に使えるようになるが、サイズが指に合わなければ抜け落ちて紛失する可能性がある。ＩＣチップやアンテナなどが搭載された指輪のサイズ調整は容易ではなく、男女問わず広く使用してもらうには多様なサイズを用意する必要がある。しかしその場合、当然、製造コストは増す。
【０００６】
本発明は、こうした課題に鑑みてなされたものであり、その目的は、サイズを使用者により合わせやすいリング型ウェアラブル端末を提供することにある。
【課題を解決するための手段】
【０００７】
本発明のある態様は、リング型ウェアラブル端末である。このリング型ウェアラブル端末は、外部の機器と通信する通信部が設けられているリングと、リングの内側に取り付けられる内径補正部材とを備える。
【０００８】
この態様によれば、使用者がリングに内径補正部材を取り付けることで、リング型ウェアラブル端末の内径を自分の指に合わせられる。内径が異なる複数の内径補正部材を用意すれば、一つのリングで多様なサイズに対応できる。
【０００９】
本発明の別の態様もまた、リング型ウェアラブル端末である。このリング型ウェアラブル端末は、第１および第２リング型ウェアラブル端末を含む。第１リング型ウェアラブル端末は、外部の機器と通信する第１通信部が設けられている第１リングと、第１リングの内側に取り付けられる内径補正部材とを備える。第２リング型ウェアラブル端末は、外部の機器と通信する第２通信部が設けられている第２リングを備える。第１リングに内径補正部材を取り付けた状態における内径は、第２リングの内径以上とする。したがって、当然、第１リングの内径は第２リングのそれよりも大きい。
【００１０】
この態様によれば、第１リングに内径補正部材をつけることにより、第１リングから第２リングまで、一気にリングの内径が下がる事態を回避できる。したがって、第１リングは大きすぎる一方、第２リングは小さすぎる使用者の指により合いやすいリング型ウェアラブル端末を提供できる。
【発明の効果】
【００１１】
本発明によれば、サイズを使用者により合わせやすいリング型ウェアラブル端末を提供できる。
【図面の簡単な説明】
【００１２】
【図１】第１の実施の形態に係るリング型ウェアラブル端末の斜視図である。
【図２】第１の実施の形態に係るリング型ウェアラブル端末の分解図である。
【図３】第１の実施の形態に係るリング型ウェアラブル端末の上面図である。
【図４】図３のＡ−Ａ断面図である。
【図５】第２の実施の形態に係るリング型ウェアラブル端末を示す図である。
【図６】第３の実施の形態に係るリング型ウェアラブル端末の斜視図である。
【図７】第３の実施の形態に係るリング型ウェアラブル端末の上面図である。
【発明を実施するための形態】
【００１３】
以下の実施形態では、同一の構成要素に同一の符号を付し、重複する説明を省略する。また、各図面では、説明の便宜のため、構成要素の一部を適宜省略する。
【００１４】
［第１の実施の形態］
第１の実施の形態に係るリング型ウェアラブル端末は、外部の機器と通信する通信部が設けられているリングと、リングの内側に取り付けられる内径補正部材とを備える。通信部は、既知の技術によりリーダライタなどの外部機器と無線通信してデータを送受信する。内径補正部材は、外径がリングの内径にほぼ等しい環状部材である。リングの内側に内径補正部材を取り付けて、リング型ウェアラブル端末の内径サイズを使用者の指に合わせることができる。内径が異なる内径補正部材を複数用意すれば、リングの内径を最も大きいサイズとして多様なサイズに対応できる。
【００１５】
図１は第１の実施の形態に係るリング型ウェアラブル端末１０の斜視図、図２はその分解図である。図３はリング型ウェアラブル端末１０の上面図、図４は図３のＡ−Ａ断面図である。
【００１６】
リング型ウェアラブル端末１０は、通信部１４が設けられているリング１２、内径補正部材１６を備える。リング１２は、酸化イットリウムを添加したジルコニアからなる高強度セラミックで形成されている。通信部１４は、ＩＣチップおよびアンテナを含むＩＣタグであり、リング１２に内蔵されている。通信部１４は、リーダライタに接近したときに無線通信してデータを送受信する。内径補正部材１６は、シリコン樹脂によりリング状に形成されている。内径補正部材１６の外径は、リング１２の内径にほぼ等しい。また、内径は使用者がリング型ウェアラブル端末１０を付ける指に合った大きさとする。内径補正部材１６は、変形させながらリング１２の内側に嵌め込むことができるように、少なくとも一部を弾性材料で形成する。
【００１７】
図２および図４に示すように、リング１２の内周面を、内側に向かって緩やかに突出する凸面１８とする。また、内径補正部材１６の外周面を、リング１２の凸面１８に対応して窪む凹面２０とする。内径補正部材１６をリング１２の内側に取り付けると、凹面２０に凸面１８が嵌って密着し、リング１２が内径補正部材１６から外れにくくなる。凸面１８と凹面２０との間に滑り止め材を塗布してもよい。一人の使用者が同じ指で使い続ける場合、内径補正部材１６を交換しなくてもよいので、接着材を用いて内径補正部材１６をリング１２に取り付けてもよい。リング１２を内径補正部材１６に固定し、リング１２が内径補正部材１６から外れて落下および紛失しにくくなる。
【００１８】
以上の構成による実際の使用方法と効果は以下の通りである。使用者は内径補正部材１６をリング１２に取り付けて、リング型ウェアラブル端末１０の内径を自分の指に合わせる。リング型ウェアラブル端末１０を指に付けた手をリーダライタに近づけるだけで、自動改札機の読み取りや、買い物代金の支払いなどを簡単に実行できる。リング型ウェアラブル端末１０の製造者は、内径が異なる複数の内径補正部材１６を用意すれば、一つのリング１２で多様なサイズに対応できる。
【００１９】
［第２の実施の形態］
図５は、第２の実施の形態に係るリング型ウェアラブル端末３０を示す図である。リング型ウェアラブル端末３０は、第１リング型ウェアラブル端末３２、第２リング型ウェアラブル端末４０を含む。第１リング型ウェアラブル端末３２は、第１通信部３６が設けられている第１リング３４、第１リング３４の内側に取り付けられる内径補正部材３８を備える。第２リング型ウェアラブル端末４０は、第２通信部４４が設けられている第２リング４２を備える。第１リング３４および第２リング４２や、内径補正部材３８の構成は、第１の実施の形態に係るリング１２および内径補正部材１６と同様である。
【００２０】
第１リング３４の内径をＲ１、内径補正部材３８の内径をＲ２とする。第２リング４２の内径Ｒ３は、内径補正部材３８の内径Ｒ２より小さい。この構成により、内径Ｒ１、Ｒ２、Ｒ３の３つのサイズのリング型ウェアラブル端末を提供できる。
【００２１】
以上の構成によれば、製造するリングの種類が増えるのを抑えつつ、使用者の指に合ったサイズのリング型ウェアラブル端末を提供しやすくなる。なお、第２リング４２自体があるため、第１リング３４に内径補正部材を取り付けて内径Ｒ３以下の小さいサイズまで対応する必要はない。そのため、内径補正部材が厚すぎることで美観が損なわれたり、扱いにくくなったりすることもない。
【００２２】
なお、Ｒ１より小さくＲ３より大きい範囲で内径が異なる複数の内径補正部材を備えてもよい。その場合、より多くのサイズに対応できる。また、第２リング型ウェアラブル端末４０は、第２リング４２の内側に取り付けられる内径補正部材を備えてもよい。そうすれば、より小さいサイズにも対応できる。
【００２３】
［第３の実施の形態］
図６は第３の実施の形態に係るリング型ウェアラブル端末５０の斜視図、図７はその上面図である。リング型ウェアラブル端末５０は、リング５２、内径補正部材６６を備える。リング５２は、ディスプレイ５４、ランプ５６、ボタン５８、バイブレータ６０、制御部６２、通信部６４を備える。ディスプレイ５４、ランプ５６、およびバイブレータ６０は、通信部６４の通信内容を使用者に通知する通知部である。制御部６２は、通信部６４の通信内容やボタン５８の操作に応じて各部を制御する。制御部６２は、コンピュータのＣＰＵをはじめとする素子や機械装置といったハードウェア、コンピュータプログラムなどのソフトウェアの組み合わせなどにより実現される。通信部６４は、ＩＣチップおよびアンテナを含むＩＣタグであり、既知の技術によりリーダライタや使用者が保有する携帯電話などと通信してデータを送受信する。
【００２４】
通信部６４は、携帯電話がメールやＳＮＳ（social networking service）のメッセージを受信した場合、そのメールやメッセージに関するデータを携帯電話から受信する。制御部６２は、通信部６４が携帯電話からメールなどに関するデータを受信した場合、ランプ５６を点灯させるとともにバイブレータ６０を振動させる。また、点灯や振動に気付いた使用者によりボタン５８が押された場合、受信したメールの件名および差出人や、メッセージを受信したアプリケーションの種類やメッセージの冒頭部分をディスプレイ５４に表示させる。使用者は、必要に応じて携帯電話を取り出してメールなどの内容を確認し、返信などを行う。指につけたリング型ウェアラブル端末５０を見ればメールなどの受信の有無を確認できるので、その確認のためだけに携帯電話を取り出す必要がなくなる。
【００２５】
内径補正部材６６は、リング５２に設けられているディスプレイ５４などの負荷に電力を供給する電池６８を備える。電池６８は、既知の手法で非接触充電装置（図示せず）により充電される二次電池である。使用者は、リング型ウェアラブル端末５０を指から外して充電装置に置くだけで、簡単に電池６８を充電できる。電池６８の充電が切れた場合、充電された電池６８を備える予備の内径補正部材６６と交換すれば、リング型ウェアラブル端末５０を継続して使用できる。電池６８を一次電池としてもよい。この場合、電池６８とともに内径補正部材６６も使い捨ての部材としてもよい。逆に、電池６８を交換可能な構成としてもよい。その場合は一つの内径補正部材６６を長く使うことができる。
【００２６】
以上、第３の実施の形態によれば、他の実施の形態と同様に各種決済などを簡単に実行可能であり、さらに携帯電話のメール受信の有無などを容易に確認できる。
【００２７】
以上、本発明について、実施形態をもとに説明した。この実施形態は例示であり、それらの各構成要素あるいは各処理プロセスの組合せにいろいろな変形例が可能なこと、また、そうした変形例も本発明の範囲にあることは当業者に理解されるところである。
【００２８】
例えば、指輪として使用するリング型ウェアラブル端末について説明したが、これに限らない。リングおよび内径補正部材の径を大きくしてブレスレットとしてもよい。
リングも環状に限らず、「Ｃ」の文字のように一部が切れた形でもよい。内径補正部材も同様である。
リングと内径補正部材の色は当然何でもよいが、ファッション性の観点から、両者を同色にしたり、逆に補色関係のように大きく異なる色の組合せとしてもよい。
電池は太陽電池でもよく、その場合はリング外面にパネルを設ければよい。
内径補正部材は、エアバックのように空気が入れられて膨らむ部材であってもよい。これにより、使用者の指のサイズにより合わせやすくなる。
【符号の説明】
【００２９】
１０、３０、５０  リング型ウェアラブル端末、  １２、５２  リング、  １４、６４  通信部、  １６、３８、６６  内径補正部材、  ３２  第１リング型ウェアラブル端末、  ３４  第１リング、  ３６  第１通信部、４０  第２リング型ウェアラブル端末、  ４２  第２リング、  ４４  第２通信部、  ５４  ディスプレイ、  ５６  ランプ、  ６０  バイブレータ、  ６８  電池。
【図１】
2018173873.tif 000003
【図２】
2018173873.tif 000004
【図３】
2018173873.tif 000005
【図４】
2018173873.tif 000006
【図５】
2018173873.tif 000007
【図６】
2018173873.tif 000008
【図７】
2018173873.tif 000009